【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
プレゼンテーション・システムを使用して、各組のメディア・サンプルがメディア・ソースから受信可能である複数の組のメディア・サンプル中に構成されたメディア・コンテンツを再生するための方法であって、
第１の時刻に、第１のメディア・ソースから受信される第１の組のメディア・サンプルの再生を開始するステップと、
第２の時刻にスケジュールされるその再生の開始が、前記第１の時刻からあらかじめ決定された時間量で行われる、第２のメディア・ソースから受信可能な第２の組のメディア・サンプルを識別するステップと、
複数の組の静的特性を確認するステップと、
前記第２のメディア・ソースのアイデンティティに基づいて、前記複数の組の静的特性から１組の静的特性を選択するステップと
前記第１の組のメディア・サンプルの再生中に、前記プレゼンテーション・システムの動的特性を確認するステップと、
前記選択された１組の静的特性および前記動的特性に基づいて、時間オフセット値を決定するステップと、
前記時間オフセット値に基づいた量だけ前記第２の時刻からオフセットされる事前レンダリング時間に前記第２の組のメディア・サンプルの少なくとも一部分を事前レンダリングするステップと
を含む方法。
【請求項２】
前記事前レンダリング時間は、前記第１の組のメディア・サンプルの再生を最大にするように、そして前記第２の組のメディア・サンプルの再生の開始が、前記第２の時刻に行われることを保証するように選択される、請求項１に記載の方法。
【請求項３】
前記第１のメディア・ソースは、前記第２のメディア・ソースと同じである、請求項１に記載の方法。
【請求項４】
前記時間オフセット値を決定する前記ステップは、前記第１の時刻より後に、しかも前記事前レンダリング時間の前に行われ、前記時間オフセット値を決定する前記ステップは、前記第１の組のメディア・サンプルの再生中に複数回反復される、請求項１に記載の方法。
【請求項５】
前記プレゼンテーション・システム内の処理負荷に基づいて前記時間オフセット値を調整するステップを
さらに含む、請求項１に記載の方法。
【請求項６】
１組の静的特性の内の１つの静的特性が、エンコーダ−デコーダ対（「コーデック」）パラメータ、暗号化パラメータ、前記第２の組のメディア・サンプルのサイズ、および前記第２のメディア・ソースのロケーションを含むグループから選択される、請求項１に記載の方法。
【請求項７】
前記動的特性は、前記メディア・コンテンツの再生状態、前記プレゼンテーション・システム内の処理負荷、および前記プレゼンテーション・システムに関連するクロックの周波数のうちの１つを含む、請求項１に記載の方法。
【請求項８】
前記動的特性が前記メディア・コンテンツの再生状態を含むとき、前記メディア・コンテンツの前記再生状態は、前記メディア・コンテンツの再生速度に基づいている、請求項７に記載の方法。
【請求項９】
前記動的特性が前記メディア・コンテンツの再生状態を含むとき、前記再生状態は、前記プレゼンテーション・システムがオンにされて以来の前記メディア・コンテンツの前記再生速度の平均に基づいている、請求項８に記載の方法。
【請求項１０】
前記第１の組のメディア・サンプルのアイデンティティは、プレイリストから確認可能でない、請求項１に記載の方法。
【請求項１１】
前記第２の時刻は、前記第１の組のメディア・サンプルの再生継続時間の終了と一致するステップと、前記第１の組のメディア・サンプルの再生継続時間内に起きるステップと、前記第１の組のメディア・サンプルの再生継続時間の終了後に起きるステップのうちの１つを含む、請求項１に記載の方法。
【請求項１２】
前記第１のメディア・ソースが前記第２のメディア・ソースと同一である、請求項１に記載の方法。
【請求項１３】
各組のメディア・サンプルがメディア・ソースから受信可能である複数の組のメディア・サンプルに構成されるメディア・コンテンツを再生するためのシステムであって、
第１のメディア・ソースからの第１の組のサンプルを再生するように、そして第２のメディア・ソースからの第２の組のサンプルを再生するように動作可能なメディア・コンテンツ・マネージャと、
前記第１の組のメディア・サンプルのアイデンティティがそこからは確認可能でないプレイリストにアクセスし、前記メディア・コンテンツ・マネージャと通信するように構成された、プレゼンテーション・マネージャと
を備え、前記プレゼンテーション・マネージャは、
前記第２の組のメディア・サンプルのアイデンティティを前記プレイリストから確認し、
前記第２のメディア・ソースに関連する静的特性を確認し、
前記第１の組のメディア・サンプルの再生中に動的特性を確認し、
前記静的特性および前記動的特性に基づいて時間オフセット値を決定し、
前記時間オフセット値に基づいた量だけ前記第２の時刻からオフセットされる事前レンダリング時間において、前記第２の組のメディア・サンプルの少なくとも一部分の事前レンダリングのために構成する
ように動作可能であり、
前記第２の組のメディア・サンプルの前記部分が事前レンダリングされたときに、前記メディア・コンテンツ・マネージャは、前記第２の時刻に前記第２の組のサンプルの前記事前レンダリングされた部分を再生するシステム。
【請求項１４】
前記プレゼンテーション・マネージャは、前記メディア・コンテンツ・マネージャから前記静的特性を受け取る、請求項１３に記載のシステム。
【請求項１５】
前記メディア・コンテンツ・マネージャは、前記メディア・コンテンツ・マネージャの処理負荷に基づいて前記決定された時間オフセット値を調整するように動作可能であり、前記プレゼンテーション・マネージャは、前記メディア・コンテンツ・マネージャから前記調整された時間オフセット値を受け取り、前記事前レンダリング時間は、前記調整された時間オフセット値に基づいた量だけ前記第２の時刻からオフセットされる、請求項１３に記載のシステム。
【請求項１６】
オペレーティングシステムを備える、請求項１３に記載のシステム。
【請求項１７】
光ディスク・プレーヤを備える、請求項１６に記載のシステム。
【請求項１８】
前記光ディスク・プレーヤは、ＤＶＤフォーラムによって公開される高精細ビデオについての仕様に準拠する、請求項１７に記載のシステム。
【請求項１９】
プレゼンテーション・システムを使用して、各組のメディア・サンプルがメディア・ソースから受信可能である複数の組のメディア・サンプル中に構成されたメディア・コンテンツを再生するための方法であって、
第１の時刻に、第１のメディア・ソースから受信される第１の組のメディア・サンプルの再生を開始するステップと、
第２の時刻にスケジュールされるその再生の開始が、前記第１の時刻からあらかじめ決定された時間量で行われる、前記第１のメディア・ソースと異なるデバイスからなる第２のメディア・ソースから受信可能な第２の組のメディア・サンプルを識別するステップと、
前記第２のメディア・ソースに関連する静的特性を確認するステップと、
前記第１の組のメディア・サンプルの再生中に、前記プレゼンテーション・システムの動的特性を確認するステップと、
前記静的特性および前記動的特性に基づいて、時間オフセット値を決定するステップと、
前記時間オフセット値に基づいた量だけ前記第２の時刻からオフセットされる事前レンダリング時間に前記第２の組のメディア・サンプルの少なくとも一部分を事前レンダリングするステップと
を含む方法。